(57)【特許請求の範囲】
【請求項１】
前面が開口し家庭電気製品を収納する少なくとも上下２段の収納庫を有し、下段収納庫の天面に、下面にその中心が前記下段収納庫の背面側にある１つの大きな開口部をもつ蒸気吸引部を有し前記蒸気吸引部の内側に複数の穴が空いた整流板を設け内部に吸引ファンを内蔵し背面側にある吸引ファンから前面側へ通じ更に背面側へと連通する内部ダクトを設けた蒸気処理ユニット本体を取着し、上段収納庫の天面に、前記蒸気処理ユニット本体により回収した蒸気を前記蒸気処理ユニット本体の後方に設けた本体排気口を介して外部に排出する蒸気排出部を有し、前記蒸気処理ユニット本体に連通した前記本体排気口と前記蒸気排出部とを排気ダクトにより連接した家庭電気製品収納庫。
【請求項２】
蒸気処理ユニット本体は、前面に操作表示部を設けた請求項１記載の家庭電気製品収納庫。
【請求項３】
蒸気排出部は、前面に操作表示部を設けた請求項１記載の家庭電気製品収納庫。
【請求項４】
排気ダクトは、上段収納庫の内部側面に設けた請求項１記載の家庭電気製品収納庫。
【請求項５】
排気ダクトは、上段収納庫の内部背面に設けた請求項１記載の家庭電気製品収納庫。
【請求項６】
排気ダクトは、上段収納庫の内部背面および側面のコーナー部に設けた請求項１記載の家庭電気製品収納庫。
【請求項７】
上段収納庫は、内壁材を排気ダクトより庫内側に設け、前記排気ダクトが露出しないよう構成した請求項１、４、５、６のいずれか１項に記載の家庭電気製品収納庫。
【請求項８】
吸引ファンを蒸気排出部にも設けた請求項１記載の家庭電気製品収納庫。
【発明の詳細な説明】
【技術分野】
【０００１】
本発明は、蒸気処理機能を有する家庭電気製品収納庫に関するものである。
【背景技術】
【０００２】
近年、キッチンまわりの家庭電気製品をすっきりと収納し、空間を有効に活用したいという要望が高まっている。このような要望にこたえるため、従来、この種の家庭電気製品収納庫は、蒸気を発生する機器であっても収納したまま使用できるように、収納庫内部で発生した蒸気をファンにより周囲の常温・常湿の外気と混合させることにより、温度を下げて外部に排出する蒸気処理機能を備えたものが提案されている。また、蒸気が台所作業者に直接当たる不快感を軽減するために、１８０ｃｍ前後の高い位置に蒸気排出口と吸引ファンを設け、機器から発生する蒸気をダクトを経由して吸い込み、庫外へ排出するものも提案されている（例えば、特許文献１参照）。
【特許文献１】特開２００３−９９６４号公報
【発明の開示】
【発明が解決しようとする課題】
【０００３】
しかしながら、このような構成の家庭電気製品収納庫では、蒸気排出用の吸引ファンを蒸気排出部付近に取付けており、騒音源である吸引ファンの位置が出口に非常に近いため、騒音が高くなるという問題があった。また、実際に蒸気を吸引する位置に吸引ファンがなく、上方の蒸気排出部に吸引ファンがあるため、蒸気排出部のみを取り出して上方の空間をオープンにするなど、モジュールの融通がきかず、例えば、上段収納庫をカウンタートップに変更するようなことは不可能である。
【０００４】
本発明は上記従来の課題を解決するもので、吸引ファンにより蒸気吸引部より吸引した蒸気をダクトを経由して蒸気排出部より排出するとき、騒音の主要因である吸引ファンの音を減衰させて低騒音化を実現するとともに、蒸気処理ユニット本体内部での排気経路を変更することにより、蒸気処理ユニット本体の前面から直接蒸気を排出する仕様にも変更できるようにし、モジュールの選択範囲を広げることを目的としている。
【課題を解決するための手段】
【０００５】
本発明は上記目的を達成するために、前面が開口し家庭電気製品を収納する少なくとも上下２段の収納庫を有し、下段収納庫の天面に、下面にその中心が前記下段収納庫の背面側にある１つの大きな開口部をもつ蒸気吸引部を有し前記蒸気吸引部の内側に複数の穴が空いた整流板を設け内部に吸引ファンを内蔵し背面側にある吸引ファンから前面側へ通じ更に背面側へと連通する内部ダクトを設けた蒸気処理ユニット本体を取着し、上段収納庫の天面に、前記蒸気処理ユニット本体により回収した蒸気を前記蒸気処理ユニット本体の後方に設けた本体排気口を介して外部に排出する蒸気排出部を有し、前記蒸気処理ユニット本体に連通した前記本体排気口と前記蒸気排出部とを排気ダクトにより連接したものである。
【０００６】
これにより、吸引ファンにより蒸気吸引部より吸引した蒸気をダクトを経由して蒸気排出部より排出するとき、騒音の主要因である吸引ファンの音を減衰することができて、低騒音化を実現することができ、また、蒸気処理ユニット本体内部での排気経路を変更することにより、蒸気処理ユニット本体の前面から直接蒸気を排出する仕様にも変更することができ、ユーザーのモジュール選択肢を拡大することができる。
【発明の効果】
【０００７】
本発明の家庭電気製品収納庫は、吸引ファンにより蒸気吸引部より吸引した蒸気をダクトを経由して蒸気排出部より排出するとき、騒音の主要因である吸引ファンの音を減衰することができて、低騒音化を実現することができ、また、蒸気処理ユニット本体内部での排気経路を変更することにより、蒸気処理ユニット本体の前面から直接蒸気を排出する仕様にも変更することができ、モジュールの選択範囲を広げることができる。
【発明を実施するための最良の形態】
【０００８】
第１の発明は、前面が開口し家庭電気製品を収納する少なくとも上下２段の収納庫を有し、下段収納庫の天面に、下面にその中心が前記下段収納庫の背面側にある１つの大きな開口部をもつ蒸気吸引部を有し前記蒸気吸引部の内側に複数の穴が空いた整流板を設け内部に吸引ファンを内蔵し背面側にある吸引ファンから前面側へ通じ更に背面側へと連通する内部ダクトを設けた蒸気処理ユニット本体を取着し、上段収納庫の天面に、前記蒸気処理ユニット本体により回収した蒸気を前記蒸気処理ユニット本体の後方に設けた本体排気口を介して外部に排出する蒸気排出部を有し、前記蒸気処理ユニット本体に連通した前記本体排気口と前記蒸気排出部とを排気ダクトにより連接したものであり、吸引ファンから外気とともに吸い込まれた蒸気は、内部ダクト、本体排気口、排気ダクトを通って蒸気排出部へ至る過程で冷却され、外部に排出される。また、騒音の主要因である吸引ファンの音についても、排気ダクトから蒸気排出部へ至る途中の経路で減衰し、静音化することができる。また、吸引ファンは蒸気処理ユニット本体に内蔵されるため、蒸気処理ユニット本体で内部の排気経路を変更することにより、蒸気処理ユニット本体の前面から直接蒸気を排出する仕様にも変更することができる。その場合、上段収納庫がないカウンタートップ仕様にも容易に対応することができ、ユーザーのモジュール選択肢を拡大することができる。
【０００９】
第２の発明は、上記第１の発明において、蒸気処理ユニット本体は、前面に操作表示部を設けたものであり、実際に蒸気処理を行っている付近に操作表示部を設置することとなり、直感的に操作しやすくなる上、操作表示部の高さを低く設定できるため、表示が見やすく、操作もしやすい。また、電気系統が蒸気処理ユニット本体内で完結するため、機器の信頼性も高くすることができる。
【００１０】
第３の発明は、上記第１の発明において、蒸気排出部は、前面に操作表示部を設けたものであり、蒸気処理ユニット本体の前面には何も設ける必要がないため、蒸気処理ユニット本体の前面を扉や面材で覆うことにより、すっきりとしたデザインや収納を実現することができる。
【００１１】
第４の発明は、上記第１の発明において、排気ダクトは、上段収納庫の内部側面に設けたものであり、上段収納庫の奥行き寸法を犠牲にすることなく、蒸気排出部を上方に設置することができる。
【００１２】
第５の発明は、上記第１の発明において、排気ダクトは、上段収納庫の内部背面に設けたものであり、上段収納庫の幅寸法を犠牲にすることなく、蒸気排出部を上方に設置することができる。
【００１３】
第６の発明は、上記第１の発明において、排気ダクトは、上段収納庫の内部背面および側面のコーナー部に設けたものであり、上段収納庫の庫内を有効に活用することができる。
【００１４】
第７の発明は、上記第１、４、５、６のいずれか１つの発明において、上段収納庫は、内壁材を排気ダクトより庫内側に設け、前記排気ダクトが露出しないよう構成したものであり、上段収納庫の庫内をすっきりと構成でき、庫内品位の向上と、使いやすい庫内を実現することができる。
【００１５】
第８の発明は、上記第１の発明において、吸引ファンを蒸気排出部にも設けたものであり、騒音源を分散するため、より吸引能力を高めることができ、蒸気処理性能を向上させながら、低騒音化を実現することができる。
【００１６】
以下、本発明の実施の形態について、図面を参照しながら説明する。なお、この実施の形態によって本発明が限定されるものではない。
【００１７】
（実施の形態１）
図１は、本発明の実施の形態１における家庭電気製品収納庫の断面図を示し、図２は、同家庭電気製品収納庫の正面図を示すものである。
【００１８】
図１および図２に示すように、収納庫本体１は、前面が開口し、内部に家庭電気製品を収納する上段収納庫２と下段収納庫３を有している。下段収納庫３には、炊飯器やジャーポット、コーヒーメーカーなど蒸気を発生する家庭電気製品を収納しており、下段収納庫３の下面に家庭電気製品を載置するスライド台４を収納自在に設けており、必要に応じて下段収納庫３から家庭電気製品を引き出して使用できるようにしている。また、下段収納庫３の天面には、収納した家庭電気製品から発生する蒸気を外部に排出する蒸気処理ユニット本体５を設けており、下段収納庫３に蒸気を発生する家庭電気製品を収納した場合においても、家庭電気製品を収納したまま使用できるようにしている。
【００１９】
蒸気処理ユニット本体５の下面に１つの大きな開口部をもつ蒸気吸引部６を設けており、蒸気処理ユニット本体５の内部に吸引ファン７を設けている。蒸気吸引部６の内側に蒸気を広い範囲で効率よく吸引するために、複数の穴が空いた整流板８を設けており、下段収納庫３内で発生した蒸気を外気と混合し、整流板８の穴および外周より蒸気を吸引する構成としている。吸引ファン７より吐出された蒸気は、内部ダクト９を通って蒸気処理ユニット本体５の後方に設けた本体排気口１０から吐出される。また、蒸気処理ユニット本体５の前面には、操作表示部１４を設けている。
【００２０】
電源部１１は、外部からの供給電源をこの電源部１１を経由して電源基板１３に取り込み、下段収納庫３内のコンセント１２−ａ、１２−ｂに分配するようにしている。電源基板１３では、コンセント１２−ａ、１２−ｂに流れる電流を監視しており、ある一定条件以上の電流を検知すると、内部で機器が動作したものと判断し、自動的に吸引ファン７を動作させるようにしている。
【００２１】
また、各コンセント１２−ａ、１２−ｂに流れる電流値がある一定値（例えば、１５Ａ）以上であることを検知すると、片側のコンセント１２−ｂを遮断し、１２−ａのみ機器の動作が継続するように制御しており、例えば、コンセント１２−ａで炊飯を行っているときに、コンセント１２−ｂでジャーポットの湯沸しを行おうとしても、通常であれば電源ブレーカーにより両電源とも遮断されるが、本仕様においては、湯沸しのみを停止することにより、炊飯を優先的に継続実行することが可能となっている。この場合、優先回路が動作したことを操作表示部１４に表示し、ユーザーに報知する構成となっている。
【００２２】
一方、上段収納庫２の天面には、蒸気排気部１５を設けており、蒸気排気部１５と蒸気処理ユニット本体５の本体排気口１０は、上段収納庫２の庫内を形成する背板（内壁材）１６の裏面、すなわち上段収納庫２の内部背面を通る排気ダクト１７により接続している。
【００２３】
上記構成において動作、作用について説明する。下段収納庫３の下面に設けたスライド台４に家庭電気製品を載置し、下段収納庫３内のコンセント１２−ａ、１２−ｂに接続して動作を開始し、蒸気処理ユニット本体５内の吸引ファン７を動作させると、吸引ファン７から外気とともに吸い込まれた蒸気は、排気ダクト１７を通って蒸気排出部１５へ至る過程で冷却され、外部に排出される。このとき、蒸気吸引部６より吸い込まれた蒸気は、内部ダクト９から本体排気口１０、排気ダクト１７を経由して蒸気排気部１５から外部に排出される。このため、騒音の主要因である吸引ファン７の音は、蒸気排出部１５へ至る途中の経路で減衰し、蒸気排出部１５付近にファンがある構成と比較して、大幅な静音化が可能となる。
【００２４】
また、上方から排気をすることにより、家庭電気製品を使いやすい高さに設置しても、湿度の高い排気が直接体に当たらないよう配慮することができ、蒸気排出時の不快感を軽減することができる。また、排気ダクト１７が背板１６の裏面を通っていることにより、上段収納庫３内部に排気ダクト１７が露出しないため、すっきりとした庫内を実現することができる。なお、排気ダクト１７については、背板１６の表側に露出しているような構成を採用してもよく、この場合は、排気ダクト１７の幅を上段収納庫２の内寸に近い寸法まで拡大するなどの工夫により、外観品位を確保しつつ、前述同様に静音効果が得ることができるうえ、排気ダクト１７の保守も容易になる。
【００２５】
以上のように、本実施の形態においては、前面が開口し家庭電気製品を収納する少なくとも上下２段の収納庫を有し、下段収納庫３の天面に、下面に蒸気吸引部６を有し内部に吸引ファン７を内蔵した蒸気処理ユニット本体５を取着し、上段収納庫２の天面に、蒸気処理ユニット本体５により回収した蒸気を外部に排出する蒸気排出部１５を有し、蒸気処理ユニット本体５と蒸気排出部１５とを排気ダクト１７により連接したので、蒸気吸引部６より吸い込まれた蒸気は、内部ダクト９から本体排気口１０、排気ダクト１７を経由して蒸気排気部１５から外部に排出される。このため、騒音の主要因である吸引ファン７の音は、蒸気排出部１５へ至る途中の経路で減衰し、蒸気排出部１５付近にファンがある構成と比較して、大幅な静音化が可能となる。
【００２６】
また、吸引ファン７は蒸気処理ユニット本体５に内蔵されるため、図３に示すように、内部ダクト９の経路を変更し、蒸気処理ユニット本体５の前面に前方蒸気排気部１８を設けることにより、蒸気処理ユニット本体５の前方から直接蒸気を排出する構成にも変更可能である。この構成によれば、上段収納庫２内部を排気ダクト１７が通過しないため、背板１６を後ろに下げることができ、上段収納庫２の庫内容積を広く確保することができる。
【００２７】
この場合、図４に示すように、下段収納庫３の上にカウンタートップ１９を設けることも可能となり、上段収納庫２がないオープンな仕様にも対応可能であり、ユーザーのモジュール選択肢を拡大することができる。
【００２８】
また、蒸気処理ユニット本体５の前面に操作表示部１４を設けたので、実際に蒸気処理を行っている付近に操作表示部１４を設置することとなり、直感的に操作しやすくなる上、操作表示部１４の高さを低く設定できるため、表示が見やすく、操作もしやすい。また、電気系統が蒸気処理ユニット本体５内で完結するため、機器の信頼性も高くすることができる。
【００２９】
また、排気ダクト１７は、上段収納庫２の内部背面に設けたので、上段収納庫２の幅寸法を犠牲にすることなく、蒸気排出部１５を上方に設置することができる。
【００３０】
また、上段収納庫２は、背板１６を排気ダクト１７より庫内側に設け、排気ダクト１７が露出しないよう構成したので、上段収納庫２の庫内をすっきりと構成でき、庫内品位の向上と、使いやすい庫内を実現することができる。
【００３１】
（実施の形態２）
図５は、本発明の実施の形態２における家庭電気製品収納庫の断面図を示し、図６は、同家庭電気製品収納庫の一部切欠した正面図を示すものである。
【００３２】
図５および図６に示すように、扉ユニット２０は、下段収納庫３の前面開口部を覆う位置に設けている。下段収納庫３には、炊飯器やジャーポット、コーヒーメーカーなど蒸気を発生する家庭電気製品を収納しており、下段収納庫３の下方に扉ユニット収納空間２１を設けており、扉ユニット収納空間２１の両内壁にガイドレール２２を設け、扉ユニット２０の下端に設けた回転軸２３を保持している。この構成により、扉ユニット２０は、下端を中心に回動および収納自在に支持されている。また、扉ユニット２０は、上部で下段収納庫３上部内側壁に設けた扉ユニット保持部２４により閉保持している。
【００３３】
操作表示部２５は、上段収納庫２に設けた蒸気排出部１５の前面に設けており、蒸気処理ユニット本体５の前面部は、扉閉時には下段収納庫３の前面開口部と略同形状をした扉ユニット２０で覆われた構成となっている。これにより、少し離れていても操作表示部２５が認識しやすくなり、さらに、蒸気処理ユニット本体５を扉ユニット２０で覆うことができるため、周囲の収納庫とのデザイン的な整合がとりやすく、すっきりとしたキッチン空間を実現することができる。
【００３４】
また、本体排気口１０は蒸気処理ユニット本体５の右側上方に設けており、上段収納庫２の天面に設けた蒸気排気部１５と蒸気処理ユニット本体５の本体排気口１０は、図７に示すように、上段収納庫２の内部側面に設けた排気ダクト２６により接続している。他の構成は蒸気実施の形態１と同じであり、同一符号を付して説明を省略する。
【００３５】
上記構成において動作、作用について説明する。下段収納庫３の下面に設けたスライド台４に家庭電気製品を載置し、下段収納庫３内のコンセント１２−ａ、１２−ｂに接続して動作を開始し、蒸気処理ユニット本体５内の吸引ファン７を動作させると、吸引ファン７から外気とともに吸い込まれた蒸気は、排気ダクト２６を通って蒸気排出部１５へ至る過程で冷却され、外部に排出される。このとき、蒸気吸引部６より吸い込まれた蒸気は、内部ダクト９から本体排気口１０、排気ダクト２６を経由して蒸気排気部１５から外部に排出される。このため、騒音の主要因である吸引ファン７の音は、蒸気排出部１５へ至る途中の経路で減衰し、蒸気排出部１５付近にファンがある構成と比較して、大幅な静音化が可能となる。
【００３６】
また、排気ダクト２６を上段収納庫２の内部側面に設けているため、庫内の有効奥行きを犠牲にせずに、上方からの排気を実現することができ、機器を使いやすい高さに設置しても、湿度の高い排気が直接体に当たらないよう配慮することができ、蒸気排出時の不快感を軽減することができる。
【００３７】
以上のように、本実施の形態においては、蒸気排出部１５は、前面に操作表示部２５を設けたので、蒸気処理ユニット本体５の前面には何も設ける必要がないため、蒸気処理ユニット本体５の前面を扉２０や面材で覆うことにより、すっきりとしたデザインや収納を実現することができる。
【００３８】
また、排気ダクト２６は、上段収納庫２の内部側面に設けたので、上段収納庫２の奥行き寸法を犠牲にすることなく、蒸気排出部１６を上方に設置することができる。
【００３９】
なお、上記各実施の形態では、排気ダクト２６は、上段収納庫２の背面または側面に配置した場合を述べたが、図８に示すように、排気ダクト２７をコーナー部に配置することも可能であり、この構成によると、排気ダクト２７が上段収納庫２内部に露出していても目立たないため、外観品位を確保しつつ、前述同様に静音効果が得ることができる上、排気ダクト２７の保守も容易になる。また、上段収納庫２の庫内を有効に活用することができる。
【００４０】
（実施の形態３）
図９は、本発明の実施の形態３における家庭電気製品収納庫の断面図を示すものである。
【００４１】
図９に示すように、上段収納庫２の天面に設けた蒸気排気部１５と、下段収納庫３の天面に設けた蒸気処理ユニット本体５の本体排気口１０の間を、上段収納庫２の庫内を形成する背板１６の裏面を通る排気ダクト１７により接続し、排気ファン（吸引ファン）２８は、排気ダクト１７と蒸気排気部１５との間に設け、吸引ファン７により吐出された蒸気を外部に排出するようにしている。他の構成は蒸気実施の形態１と同じであり、同一符号を付して説明を省略する。
【００４２】
上記構成において動作、作用について説明する。下段収納庫３の下面に設けたスライド台４に家庭電気製品を載置し、下段収納庫３内のコンセント１２−ａ、１２−ｂに接続して動作を開始し、蒸気処理ユニット本体５内の吸引ファン７を動作させると、蒸気吸引部６より吸い込まれた蒸気は、内部ダクト９から本体排気口１０、排気ダクト１７を経由して、排気ファン２８により蒸気排気部１５から外部に排出される。
【００４３】
これにより、蒸気を効率よく外部に排出することができるため、吸引ファン７および排気ファン２８の回転数を低くすることができ、また、吸引ファン７と排気ファン２８が２箇所に配置されるため、騒音源を分散することができ、一層静音化することができる。また、上段収納庫２の奥行きを広くするために、排気ダクト１７の偏平率を大きくしたり、高さを確保するために排気ダクト１７の長さを長くすることにより、排気経路の損失が増大するような場合でも、蒸気処理性能を確保することができる。
【００４４】
以上のように、本実施の形態においては、排気ファン２８を蒸気排出部１５にも設けたので、騒音源を分散するため、より吸引能力を高めることができ、蒸気処理性能を向上させながら、低騒音化を実現することができる。
【産業上の利用可能性】
【００４５】
以上のように、本発明にかかる家庭電気製品収納庫は、吸引ファンにより蒸気吸引部より吸引した蒸気をダクトを経由して蒸気排出部より排出するとき、騒音の主要因である吸引ファンの音を減衰することができて、低騒音化を実現することができ、また、蒸気処理ユニット本体内部での排気経路を変更することにより、蒸気処理ユニット本体の前面から直接蒸気を排出する仕様にも変更することができ、モジュールの選択範囲を広げることができるので、蒸気処理機能を有する家庭電気製品収納庫として有用である。
【図面の簡単な説明】
【００４６】
【図１】本発明の実施の形態１における家庭電気製品収納庫の断面図
【図２】同家庭電気製品収納庫の正面図
【図３】同家庭電気製品収納庫の他の実施の形態の断面図
【図４】同家庭電気製品収納庫の他の実施の形態の断面図
【図５】本発明の実施の形態２における家庭電気製品収納庫の断面図
【図６】同家庭電気製品収納庫の一部切欠した正面図
【図７】同家庭電気製品収納庫のＡ−Ａ線拡大断面図
【図８】同家庭電気製品収納庫の他の実施の形態のＡ−Ａ線拡大断面図
【図９】本発明の実施の形態３における家庭電気製品収納庫の断面図
【符号の説明】
【００４７】
２  上段収納庫
３  下段収納庫
５  蒸気処理ユニット本体
６  蒸気吸引部
７  吸引ファン
１５  蒸気排出部
１７  排気ダクト
【図１】
0004765557.tif 000002
【図２】
0004765557.tif 000003
【図３】
0004765557.tif 000004
【図４】
0004765557.tif 000005
【図５】
0004765557.tif 000006
【図６】
0004765557.tif 000007
【図７】
0004765557.tif 000008
【図８】
0004765557.tif 000009
【図９】
0004765557.tif 000010